(57)【要約】【課題】振動子により内部空間内を充満又はほぼ充満した状態の洗浄液に音波振動や超音波振動を加えるから、洗浄ポット内に真空の泡であるキャビテーションが発生し、この泡の破裂により強烈な洗浄を行うことができると共に快適で効率的な洗浄を行うことができる。【解決手段】開口部Ｋが閉塞されて内部空間Ｒが負圧状態となることにより貯液タンク３内の洗浄液Ｗを給液管４を経て内部空間に充満又はほぼ充満する状態に吸引供給すると共に内部空間内に洗浄液が充満又はほぼ充満している状態を維持しつつ内部空間内の洗浄液を排液管５を経て貯液タンク内に排出するポンプ制御部７とを備えてなる。【選択図】図１
2011015770.tif 000002
【特許請求の範囲】
【請求項１】
洗浄液で充満又はほぼ充満される内部空間及び被洗浄面への当接により閉塞される開口部をもつ洗浄ポットと、該洗浄液を収容する貯液タンクと、該貯液タンクと該洗浄ポットの内部空間とを接続する給液管と、該貯液タンクと該洗浄ポットの内部空間とを接続する排液管と、該内部空間内に充満又はほぼ充満された洗浄液に音波振動又は超音波振動を付与する振動子と、該排液管の管路に設けられた循環用ポンプと、該開口部が閉塞されて該内部空間が負圧状態となることにより該貯液タンク内の洗浄液を該給液管を経て該内部空間に充満又はほぼ充満する状態に吸引供給すると共に該内部空間内に該洗浄液が充満又はほぼ充満している状態を維持しつつ該内部空間内の洗浄液を該排液管を経て該貯液タンク内に排出するポンプ制御部とを備えてなることを特徴とする洗浄装置。
【請求項２】
上記ポンプ制御部は上記被洗浄面からの洗浄ポットの離反により上記開口部が開口して上記内部空間が常圧に近い負圧又は常圧状態となることにより該内部空間内の洗浄液を上記排液管を経て上記貯液タンク内に速やかに排出するように構成されていることを特徴とする請求項１記載の洗浄装置。
【請求項３】
上記給液管の通過流量Ｑ1と上記排液管の通過流量Ｑ2との関係をＱ1＜Ｑ2に設定してなることを特徴とする請求項１又は２記載の洗浄装置。
【請求項４】
上記洗浄ポットの内部空間が常圧に近い負圧又は常圧状態のとき上記振動子による音波振動又は超音波振動を停止する振動制御部を設けてなることを特徴とする請求項１〜３のいずれか１項に記載の洗浄装置。
【請求項５】
上記洗浄液の主成分が水又は水とエタノールとの混合液であることを特徴とする請求項１〜４のいずれか１項に記載の洗浄装置。
【発明の詳細な説明】
【技術分野】
【０００１】
本発明は例えば顔や身体の皮膚表面の洗浄に用いられる洗浄装置に関するものである。
【背景技術】
【０００２】
従来、この種の洗浄装置として、開口部及び内部空間をもつ洗浄ポットと、該洗浄液を収容する貯液タンクと、該貯液タンクと洗浄ポットの内部空間とを接続する給液管と、該貯液タンク内の洗浄液を洗浄ポットの内部空間に供給するポンプと、該洗浄ポットの内部空間に接続された排液管とを備えてなる構造のものが知られている。
【特許文献１】実開昭６１−６５９３８号公報
【特許文献２】特開２００６−２９６６７９
【発明の開示】
【発明が解決しようとする課題】
【０００３】
しかしながら上記従来構造の場合、上記洗浄ポットの内部空間内への洗浄液の供給及び内部空間からの洗浄液の排出については、上記ポンプの入切により行う構造となっており、このため、使用の利便性が低下しているという不都合を有している。
【課題を解決するための手段】
【０００４】
本発明はこのような不都合を解決することを目的とするもので、本発明のうちで、請求項１記載の発明は、洗浄液で充満又はほぼ充満される内部空間及び被洗浄面への当接により閉塞される開口部をもつ洗浄ポットと、該洗浄液を収容する貯液タンクと、該貯液タンクと該洗浄ポットの内部空間とを接続する給液管と、該貯液タンクと該洗浄ポットの内部空間とを接続する排液管と、該内部空間内に充満又はほぼ充満された洗浄液に音波振動又は超音波振動を付与する振動子と、該排液管の管路に設けられた循環用ポンプと、該開口部が閉塞されて該内部空間が負圧状態となることにより該貯液タンク内の洗浄液を該給液管を経て該内部空間に充満又はほぼ充満する状態に吸引供給すると共に該内部空間内に該洗浄液が充満又はほぼ充満している状態を維持しつつ該内部空間内の洗浄液を該排液管を経て該貯液タンク内に排出するポンプ制御部とを備えてなることを特徴とする洗浄装置にある。
【０００５】
又、請求項２記載の発明は、上記ポンプ制御部は上記被洗浄面からの洗浄ポットの離反により上記開口部が開口して上記内部空間が常圧に近い負圧又は常圧状態となることにより該内部空間内の洗浄液を上記排液管を経て上記貯液タンク内に速やかに排出するように構成されていることを特徴とするものであり、又、請求項３記載の発明は、上記給液管の通過流量Ｑ1と上記排液管の通過流量Ｑ2との関係をＱ1＜Ｑ2に設定してなることを特徴とするものであり、又、請求項４記載の発明は、上記洗浄ポットの内部空間が常圧に近い負圧又は常圧状態のとき上記振動子による音波振動又は超音波振動を停止する振動制御部を設けてなることを特徴とするものであり、又、請求項５記載の発明は、上記洗浄液の主成分が水又は水とエタノールとの混合液であることを特徴とするものである。
【発明の効果】
【０００６】
本発明は上述の如く、請求項１記載の発明にあっては、被洗浄面としての顔や身体の皮膚表面に洗浄ポットの開口部を当接させると皮膚の表面などの被洗浄面により開口部は閉塞され、洗浄ポットの内部空間に接続された排液管に循環用ポンプが設けられているので、開口部の閉塞により内部空間は負圧状態となり、内部空間が負圧状態になって、上記循環用ポンプ及びポンプ制御部により貯液タンク内の洗浄液は給液管を経て内部空間に充満又はほぼ充満する状態に吸引供給されると共に内部空間内の洗浄液が充満又はほぼ充満する状態を維持しつつ内部空間内の洗浄液を排液管を経て貯液タンク内に排出することになり、しかして、上記開口部を閉口している被洗浄面を内部空間内に充満又はほぼ充満する洗浄液により洗浄することができると共に内部空間内に洗浄液が充満又はほぼ充満している状態を維持しつつ内部空間内の洗浄液を排液管を経て貯液タンク内に排出される洗浄液の流水作用により洗浄することができ、さらに、振動子により内部空間内を充満又はほぼ充満した状態の洗浄液に音波振動や超音波振動を加えるから、洗浄ポット内に真空の泡であるキャビテーションが発生し、この泡の破裂により強烈な洗浄を行うことができると共に快適で効率的な洗浄を行うことができる。
【０００７】
又、請求項２記載の発明にあっては、上記ポンプ制御部は、上記被洗浄面からの洗浄ポットの離反により上記開口部が開口して上記内部空間が常圧に近い負圧又は常圧状態となることにより内部空間内の洗浄液を上記排液管を経て上記貯液タンク内に速やかに排出するように構成されているから、上記開口部を被洗浄面より離反させると開口部は開口し、開口部の開口により内部空間は常圧状態となり、内部空間が常圧状態になることにより内部空間内の洗浄液は排液管を経て速やかに貯液タンク内に排出され、内部空間内の洗浄液を速やかに貯液タンクに排出することにより開口部からの洗浄液の漏れを抑制することができ、又、請求項３記載の発明にあっては、上記給液管の通過流量Ｑ1と上記排液管の通過流量Ｑ2との関係をＱ1＜Ｑ2に設定しているから、洗浄液を速やかに回収することができ、内部空間内の洗浄液を開口部から外部に漏らすことを抑制することができ、快適な洗浄を行うことができ、又、請求項４記載の発明にあっては、上記洗浄ポットの内部空間が常圧に近い負圧又は常圧状態のとき上記振動子による音波振動又は超音波振動を停止する振動制御部を設けているから、洗浄液の飛散漏れを防止することができ、又、請求項５記載の発明にあっては、上記洗浄液の主成分が水又は水とエタノールとの混合液であるから、このような液は顔や身体の皮膚表面の洗浄に適し、皮膚の洗浄を良好に行うことができる。
【発明を実施するための最良の形態】
【０００８】
図１乃至図８は本発明の実施の形態例を示し、図１乃至図４は第一形態例、図５は第二形態例、図６は第三形態例、図７は第四形態例、図８は第五形態例である。
【０００９】
図１乃至図４の第一形態例において、１は洗浄ポットであり、二個の底部１ａ・１ａ、筒部１ｂ、洗浄液Ｗで充満される内部空間Ｒ及び洗浄すべき顔Ｓや身体の皮膚表面たる被洗浄面Ｆへの当接により閉塞される開口部Ｋからなる有底円筒状に形成され、底部１ａ・１ａは金属又は合成樹脂により製作され、筒部１ｂは金属又は合成樹脂により製作され、筒部１ｂの頂部１ｄは被洗浄面Ｆの角隅部分に接触し易いように山状に形成され、開口部Ｋはメッシュ状の複数個の丸孔や角孔状の開口孔１ｃに形成され、メッシュ状の複数個の丸孔や角孔状の開口孔１ｃとすることにより洗浄液Ｗの漏れを防ぐと共に被洗浄面Ｆでの洗浄ポット１の摺動を円滑に行うようにしている。
【００１０】
２は振動子であって、上記内部空間Ｒ内に充満又はほぼ充満された洗浄液Ｗに音波振動又は超音波振動を付与するものであり、この場合、上記洗浄ポット１に設けられ、振動制御部２ａの発振回路により内部空間Ｒ内の洗浄液Ｗに音波振動又は超音波振動を付与する構造となっている。例えば、上記振動制御部２ａ内の発振回路により２５ＫＨｚ〜１００ＫＨｚの振動数が選択して設定され、この場合、４０ＫＨｚの振動数が用いられている。尚、２００Ｈｚ程度の周波数に設定することによりマッサージ効果を得ることができ、また、２００Ｈｚ程度の周波数に２５ＫＨｚ〜１００ＫＨｚの周波数を重合し、洗浄及びマッサージ効果を併有する構造とすることもある。
【００１１】
この場合、上記振動制御部２ａに上記洗浄ポット１の内部空間Ｒが常圧に近い負圧又は常圧状態のとき振動子２による音波振動又は超音波振動を停止する回路を含めて構成している。
【００１２】
３は貯液タンクであって、この場合、貯液タンク３内に主成分が水又は水とエタノールとの混合液からなる洗浄液Ｗを収容している。この貯液タンク３として家庭用の洗面槽を用いることもある。
【００１３】
４は給液管であって、この場合、可撓性樹脂パイプが用いられ、上記貯液タンク３と上記洗浄ポット１の内部空間Ｒとを管路接続している。
【００１４】
５は排液管であって、この場合、可撓性樹脂パイプが用いられ、上記貯液タンク３と上記洗浄ポット１の内部空間Ｒとを管路接続している。
【００１５】
６は循環用ポンプであって、上記排液管５の管路に設けられている。
【００１６】
７はポンプ制御部であって、上記開口部Ｋが閉塞されて内部空間Ｒが負圧状態となることにより貯液タンク３内の洗浄液Ｗを給液管４を経て内部空間Ｒに充満又はほぼ充満する状態に吸引供給すると共に内部空間Ｒ内に洗浄液Ｗが充満又はほぼ充満している状態を維持しつつ内部空間Ｒ内の洗浄液Ｗを排液管５を経て貯液タンク３内に排出するように構成されている。
【００１７】
この場合、上記ポンプ制御部７は、例えば、内部空間Ｒ内の圧力を検出する図示省略の圧力センサなどを用いて、上記被洗浄面Ｆからの洗浄ポット１の離反により上記開口部Ｋが開口して上記内部空間Ｒが常圧に近い負圧又は常圧状態となることにより内部空間Ｒ内の洗浄液Ｗを上記排液管５を経て上記貯液タンク３内に速やかに排出するように構成されている
【００１８】
この実施の第一形態例は上記構成であるから、被洗浄面Ｆとしての顔や身体の皮膚表面に洗浄ポット１の開口部Ｋを当接させると皮膚の表面などの被洗浄面Ｆにより開口部Ｋは閉塞され、洗浄ポット１の内部空間Ｒに接続された排液管５に循環用ポンプ６が設けられているので、開口部Ｋの閉塞により内部空間Ｒは負圧状態となり、内部空間Ｒが負圧状態になって、上記循環用ポンプ６及びポンプ制御部７により貯液タンク３内の洗浄液Ｗは給液管４を経て内部空間Ｒに充満又はほぼ充満する状態に吸引供給されると共に内部空間Ｒ内の洗浄液Ｗが充満又はほぼ充満する状態を維持しつつ内部空間Ｒ内の洗浄液Ｗを排液管５を経て貯液タンク３内に排出することになり、しかして、上記開口部Ｋを閉口している被洗浄面Ｆを内部空間Ｒ内に充満又はほぼ充満する洗浄液Ｗにより洗浄することができると共に内部空間Ｒ内に洗浄液Ｗが充満又はほぼ充満している状態を維持しつつ内部空間Ｒ内の洗浄液Ｗを排液管５を経て貯液タンク３内に排出される洗浄液Ｗの流水作用により洗浄することができ、さらに、振動子２により内部空間Ｒ内を充満又はほぼ充満した状態の洗浄液Ｗに音波振動や超音波振動を加えるから、洗浄ポット１内に真空の泡であるキャビテーションが発生し、この泡の破裂により強烈な洗浄を行うことができると共に快適で効率的な洗浄を行うことができる。
【００１９】
この場合、上記ポンプ制御部７は、上記被洗浄面Ｆからの洗浄ポット１の離反により上記開口部Ｋが開口して上記内部空間Ｒが常圧に近い負圧又は常圧状態となることにより内部空間Ｒ内の洗浄液Ｗを上記排液管５を経て上記貯液タンク３内に速やかに排出するように構成されているから、上記開口部Ｋを被洗浄面Ｆより離反させると開口部Ｋは開口し、開口部Ｋの開口により内部空間Ｒは常圧状態となり、内部空間Ｒが常圧状態になることにより内部空間Ｒ内の洗浄液Ｗは排液管５を経て速やかに貯液タンク３内に排出され、内部空間Ｒ内の洗浄液Ｗを速やかに貯液タンク３に排出することにより開口部Ｋからの洗浄液Ｗの漏れを抑制することができる。
【００２０】
又、この場合、上記洗浄ポット１の内部空間Ｒが常圧に近い負圧又は常圧状態のとき上記振動子２による音波振動又は超音波振動を停止する振動制御部２ａを設けているから、洗浄液Ｗの飛散漏れを防止することができる。
【００２１】
又、この場合、上記洗浄液Ｗの主成分が水又は水とエタノールとの混合液であるから、このような液は顔や身体の皮膚表面の洗浄に適し、皮膚の洗浄を良好に行うことができる。
【００２２】
又、この場合、図示省略しているが、上記洗浄液Ｗを例えば常温から５０℃程度の温水に加熱するヒータなどからなる加熱装置を設けている。この加熱装置より洗浄液を温水加熱することにより洗浄作用を良好に行うことができる。
【００２３】
図５の第二形態例、図６の第三形態例、図７の第四形態例は、いずれも、上記洗浄ポット１の開口部Ｋの別例構造を示してる。
【００２４】
図５の第二形態例の開口部Ｋにあっては、上記メッシュ状の複数個の丸孔や角孔状の開口孔１ｃに代えて、複数個のスリット状の開口孔１ｃとなっており、又、図６の第三形態例の開口部Ｋにあっては、上記メッシュ状の複数個の丸孔や角孔状の開口孔１ｃに代えて、複数個の長さの異なるスリット状の開口孔１ｃとなっており、又、図７の第四形態例の開口部Ｋにあっては、上記メッシュ状の複数個の丸孔や角孔状の開口孔１ｃ及び複数個の長さの異なるスリット状の開口孔１ｃを組み合わせた構造となっている。
【００２５】
これら第二、第三及び第四形態例あっても、上記第一形態例と同様な作用効果を得ることができる。
【００２６】
図８の第五形態例も別例構造を示し、この場合、上記給液管４の通過流量Ｑ1と上記排液管５の通過流量Ｑ2との関係をＱ1＜Ｑ2に設定した構造としている。
【００２７】
この第五形態例にあっては、上記第一形態例と同様な作用効果を得ることができると共にＱ1＜Ｑ2の関係により洗浄液Ｗを速やかに回収することができ、内部空間Ｒ内の洗浄液Ｗを開口部Ｋから外部に漏らすことを抑制することができ、快適な洗浄を行うことができる。
【００２８】
尚、本発明は上記実施の形態例に限られるものではなく、洗浄ポット１の形態や構造、洗浄液Ｗの組成、振動子２、貯液タンク３、給液管４、排液管５、循環用ポンプ６の構造や形態、ポンプ制御回路７の構成などは適宜変更して設計される。
【００２９】
以上の如く、所期の目的を充分達成することができる。
【図面の簡単な説明】
【００３０】
【図１】本発明の実施の第一形態例の説明図である。
【図２】本発明の実施の第一形態例の洗浄ポットの斜視図である。
【図３】本発明の実施の第一形態例の洗浄ポットの平面図である。
【図４】本発明の実施の第一形態例の洗浄ポットの断面図である。
【図５】本発明の実施の第二形態例の洗浄ポットの平面図である。
【図６】本発明の実施の第三形態例の洗浄ポットの平面図である。
【図７】本発明の実施の第四形態例の洗浄ポットの平面図である。
【図８】本発明の実施の第五形態例の説明図である。
【符号の説明】
【００３１】
Ｋ    開口部
Ｒ    内部空間
Ｗ    洗浄液
Ｆ    被洗浄面
Ｑ1    通過流量
Ｑ2    通過流量
１    洗浄ポット
２    振動子
３    貯液タンク
４    給液管
５    排液管
６    循環用ポンプ
７    ポンプ制御部
【図１】
2011015770.tif 000003
【図２】
2011015770.tif 000004
【図３】
2011015770.tif 000005
【図４】
2011015770.tif 000006
【図５】
2011015770.tif 000007
【図６】
2011015770.tif 000008
【図７】
2011015770.tif 000009
【図８】
2011015770.tif 000010